(57)【特許請求の範囲】
【請求項１】
建物の勝手口等の外側に設置されるステップ装置であって、踏台と、この踏台よりも低い段部とを備え、この踏台と段部が互いに連結されて、勝手口等の外側の設置面にアンカーで固定される勝手口等のステップ装置であって、
上記踏台及び上記段部の四隅部に下方から埋め込まれたボルトの下端が四隅部の下面から僅かに突出し、上記踏台と上記段部の互いに隣接する隅部に埋め込まれたボルトの下端は連結固定片の二つの穴に挿入されてナットで締付けられており、互いに隣接していない隅部に埋め込まれたボルトの下端は連結固定片の一方の穴に挿入されてナットで締付けられると共に、上記アンカーが連結固定片の他方の穴から設置面に打ち込まれていることを特徴とするステップ装置。
【請求項２】
上記踏台及び上記段部がいずれも下端の開口した中空の箱体であり、その内側に補強リブ及び／又は補強壁が形成されていることを特徴とする請求項１に記載のステップ装置。
【請求項３】
上記踏台及び上記段部がいずれも１０〜５０倍程度の発泡倍率で発泡させたスチロール発泡体よりなるものであることを特徴とする請求項１又は請求項２に記載のステップ装置。
【請求項４】
上記踏台及び上記段部の少なくとも上面に、天然石粉などの無機粉入り塗装面が形成されていることを特徴とする請求項１ないし請求項３のいずれかに記載のステップ装置。
【発明の詳細な説明】
【０００１】
【発明の属する技術分野】
本発明は、建物の勝手口等の外側に設置される出入り用のステップ装置に関する。
【０００２】
【従来の技術】
従来より、建物の勝手口と外側の地面との間には段差があるため、容易に出入りできるようにコンクリート製の踏台等が設けられている。けれども、コンクリート製の踏台は現場施工によって設けられるものであるため、素人では施工が難しいという問題があった。
【０００３】
このような事情から、素人でも設置可能な合成樹脂製のステップ装置が提案されるようになった。その代表的なものは、ブロー成形の手段によって踏台の側面に該踏台より低い段部を一体成形した階段型のステップ装置であり、この装置は勝手口の外側の地面に単に置いて使用するものである。
【０００４】
【発明が解決しようとする課題】
しかしながら、上記ステップ装置のように踏台と段部を一体成形したものは、嵩張るため物流コストが高くつき、狭い場所では取り扱いにくいという問題があった。
【０００５】
しかも、ブロー成形したものは強度が充分と言いがたく、強度を上げるために踏台や段部の肉厚を大きくすると、重量が増して持ち運びや施工がし辛くなるという問題があった。
【０００６】
また、上記のステップ装置は、勝手口の外側の地面に単に置いて使用するものであるから、横方向に外力が作用すると移動しやすいという問題もあった。
【０００７】
本発明は、これらの問題を一挙に解決し得る勝手口等のステップ装置の提供を目的とするものである。
【０００８】
【課題を解決するための手段】
上記の目的を達成するため、本発明の請求項１に係る勝手口等のステップ装置は、建物の勝手口等の外側に設置されるステップ装置であって、踏台と、この踏台よりも低い段部とを備え、この踏台と段部が互いに連結されて、勝手口等の外側の設置面にアンカーで固定される勝手口等のステップ装置であって、上記踏台及び上記段部の四隅部に下方から埋め込まれたボルトの下端が四隅部の下面から僅かに突出し、上記踏台と上記段部の互いに隣接する隅部に埋め込まれたボルトの下端は連結固定片の二つの穴に挿入されてナットで締付けられており、互いに隣接していない隅部に埋め込まれたボルトの下端は連結固定片の一方の穴に挿入されてナットで締付けられると共に、上記アンカーが連結固定片の他方の穴から設置面に打ち込まれていることを特徴とするものである。
【０００９】
かかるステップ装置は、踏台と段部を分離して運搬できるので嵩張ることはない。従って、物流コストを下げることができ、狭い場所での取り扱いが容易となる。また、このステップ装置は、踏台と段部が連結されて勝手口等の外側の設置面にアンカーで固定されるものであるから、外力が作用しても移動したり傾いたりする心配がない。更に、踏台と段部が強固に連結され、設置面にしっかりと固定される。
【００１０】
次に、請求項２に係る勝手口等のステップ装置は、上記請求項１のステップ装置において、踏台及び段部がいずれも下端の開口した中空の箱体であり、その内側に補強リブ及び／又は補強壁が形成されていることを特徴とするものである。
【００１１】
かかるステップ装置は、踏台も段部も中空の箱体であるから一層軽量であり、持ち運びや取り扱いが容易になる。しかも、内側には補強リブや補強壁が形成されているので、中空の箱体であるにも拘らず、充分な強度を有しており、簡単に破損する心配はない。
【００１２】
次に、請求項３に係る勝手口等のステップ装置は、上記請求項１又は２のステップ装置において、踏台及び段部がいずれも１０〜５０倍程度の発泡倍率で発泡させたスチロール発泡体よりなることを特徴とするものである。
【００１３】
このような特定発泡倍率のスチロール発泡体よりなる踏台や段部は、きわめて軽量であるにも拘らず満足な実用強度を有するため特に好適である。発泡倍率が５０倍より高くなると、より一層軽量になるが、強度が低下して破損し易くなり、発泡倍率が１０倍より低くなると、強度は向上するが、重量が増すので持ち運びや取り扱いがし辛くなり、また、コストアップになる。
【００１６】
次に、請求項４に係る勝手口等のステップ装置は、上記請求項１〜３のいずれかのステップ装置において、踏台及び段部の少なくとも上面に、天然石粉などの無機粉入り塗装面が形成されていることを特徴とするものである。
【００１７】
このようなステップ装置は、無機粉入り塗装面によって踏台や段部の少なくとも上面が被覆保護されると共に、美観が向上し、しかも、無機粉によって滑り止め作用が発揮されるので安全性も向上する。
【００１８】
【発明の実施の形態】
以下、図面を参照して本発明の具体的な実施形態を詳述する。
【００１９】
図１は本発明の一実施形態に係る勝手口等のステップ装置の斜視図、図２は同ステップ装置の平面図、図３は同ステップ装置の底面図、図４は同ステップ装置の正面図、図５は図２のＡ−Ａ線断面図、図６は図２のＢ−Ｂ線拡大部分断面図、図７は同ステップ装置に用いる連結固定片の斜視図である。
【００２０】
このステップ装置は、図１に示すように、建物の勝手口１の外側の一段低い設置面２（地面やコンクリート面）に設置されるものであって、勝手口１より少し低い踏台３と、この踏台３の半分の高さを有する段部４とで構成されている。
【００２１】
上記の踏台３及び段部４はいずれも合成樹脂発泡体からなるもので、踏台３は下端が開口した中空の平面視正方形の箱体に成形されており、段部４も下端が開口した中空の平面視長方形の箱体（長さは踏台と同じ、幅は踏台の略半分、高さは踏台の丁度半分）に形成されている。
【００２２】
そして、強度を高めるために、踏台３の内側には図３、図５に示すように補強壁３ａが十字形に形成されており、更に、この補強壁３ａと外壁３ｂとで囲まれる空間部には、上壁３ｃから補強リブ３ｄが十字状に形成されている。同様に、段部４の内側にも補強壁４ａが十字形に形成されている。
【００２３】
このような踏台３及び段部４を構成する合成樹脂発泡体としては、１０〜５０倍程度の発泡倍率を有するスチロール発泡体が好ましく、特に４０倍前後の発泡倍率を有するスチロール発泡体はきわめて好適である。かかる発泡倍率のスチロール発泡体からなる踏台３や段部４は、きわめて軽量であるため持ち運びや取り扱いが容易であり、しかも、充分な実用強度を有するため簡単に破損する心配がないといった利点を有する。発泡倍率が５０倍より高くなると、より一層軽量になるが、強度が低下して破損し易くなり、発泡倍率が１０倍より低くなると、強度は向上するが、重量が増して持ち運びや取り扱いがし辛くなり、また、コストアップになるので、いずれも好ましくない。
【００２４】
尚、踏台３及び段部４を構成する合成樹脂発泡体は上記のスチロール発泡体に限定されるものではなく、例えば同程度の発泡倍率を有するウレタン発泡体や他の各種プラスチック発泡体なども勿論採用できる。
【００２５】
図３、図６に示すように、踏台３及び段部４の四隅部の底面はいずれも上方に凹入した段差底面３ｅ，４ｅに形成されており、踏台３の四隅部には長いボルト５ａが、段部４の四隅部には短いボルト５ｂが、それぞれ下方から上面近くまで深く埋め込まれて、各ボルト５ａ，５ｂの下端が四隅部の段差底面３ｅ，４ｅから僅かに突き出している。そして、図６に示すように、踏台３と段部４の互いに隣接する隅部に埋め込まれたボルト５ａ，５ｂの下端が、図７に示すような長方形の連結固定片６の二つの穴６ａ，６ａに挿入され、ナット７，７で締付けられて、踏台３と段部４が強固に連結されている。
【００２６】
一方、踏台３と段部４の互いに隣接していない隅部に埋め込まれたボルト５ａ，５ｂの下端は、図４、図６に示すように連結固定片６の一方の穴６ａに挿入されてナット７で締付けられており、この連結固定片６の他方の穴６ａから、上端を鉤形に折曲したピン状のアンカー８が設置面２に打ち込まれて、踏台３と段部４が設置面２に固定されている。
【００２７】
連結固定片６をビス等の止具で踏台３や段部４の四隅の段差底面３ｅ，４ｅに取付けると、踏台３や段部４に横方向の力が作用したとき、比較的簡単に止具が抜け出して踏台３と段部４が分離したり移動する不都合を生じるが、上記のように深く埋め込んだボルト５ａ，５ｂとナット７で連結固定片６を取付けると、ボルト５ａ，５ｂが抜け出して連結固定片が外れることがないので、踏台３と段部４を強固に連結して設置面２にしっかりと固定することが可能となる。
【００２８】
更に、踏台３及び段部４の上面には、無機粉入り塗装面９が形成されている。この無機粉入り塗装面９は、図６に示すように、エキスパンドメタルやラス網などの下地ネット９ａを介して、天然石粉などの無機粉を配合した塗装剤を吹付けあるいは塗布して形成したものである。このような無機粉入り塗装面９が形成されていると、美観が向上し、踏台３や段部４の上面が被覆保護されると共に、無機粉の滑り止め効果によって安全性も向上するという利点がある。また、下地ネット９ａが介在されていると、踏台３及び段部４の上面が補強されて丈夫になるという利点がある。尚、この無機粉入り塗装面９は、踏台３や段部４の外部から見える側面に形成してもよいことは言うまでもない。
【００２９】
上記構成のステップ装置は、踏台３と段部４を分離して勝手口１の前まで運び込み、既述したように連結固定片６とナット７を用いて踏台３と段部４を強固に連結すると共に、アンカー８を打ち込んで勝手口１の外側の設置面２にしっかりと固定することにより、素人でも簡単に設置することができる。しかも、踏台３と段部を分離して嵩張らないように運搬できるので、物流コストを下げることが可能となり、狭い場所での取り扱いも容易となる。また、踏台３及び段部４はいずれも１０〜５０倍程度の発泡倍率を有する軽量な合成樹脂発泡体よりなるものであるから、女性でも容易に持ち運びして設置することができ、既述したように踏台３と段部４が強固に連結されて設置面２にしっかりと固定されるものであるから、外力が作用しても踏台３と段部４が分離したり移動したり傾いたりする心配がない。
【００３０】
以上、勝手口１のステップ装置を例にとって本発明を説明したが、本発明のステップ装置は勝手口１以外の段差のある全ての出入口に適用できるものである。
【００３１】
【発明の効果】
本発明の勝手口等のステップ装置は、嵩張らないように踏台と段部を分離して運搬できるので、物流コストの低減が可能になると共に、狭い場所での取扱性が向上し、しかも、踏台や段部が軽量であるため持ち運びし易く、また、踏台と段部の連結や設置面への固定を簡単且つ強固に行えるため、施工性が良好で設置後に踏台や段部が外力によって分離、移動する心配もないといった効果を奏する。
【００３２】
そして、踏台や段部の少なくとも上面に無機粉入り塗装面を形成したものは、上記効果に加えて、美観が向上し、上面が被覆保護されると共に、無機粉の良好な滑り止め作用によって安全性も向上するといった効果を奏する。
【図面の簡単な説明】
【図１】本発明の一実施形態に係る勝手口等のステップ装置の斜視図である。
【図２】同ステップ装置の平面図である。
【図３】同ステップ装置の底面図である。
【図４】同ステップ装置の正面図である。
【図５】図２のＡ−Ａ線断面図である。
【図６】図２のＢ−Ｂ線拡大部分断面図である。
【図７】同ステップ装置に用いる連結固定片の斜視図である。
【符号の説明】
１  勝手口
２  設置面
３  踏台
３ａ  補強壁
３ｄ  補強リブ
４  段部
４ａ  補強壁
５ａ，５ｂ  ボルト
６  連結固定片
６ａ  穴
７  ナット
８  アンカー
９  無機粉入り塗装面
【図１】
0004047479.tif 000002
【図２】
0004047479.tif 000003
【図３】
0004047479.tif 000004
【図４】
0004047479.tif 000005
【図５】
0004047479.tif 000006
【図６】
0004047479.tif 000007
【図７】
0004047479.tif 000008